(57)【要約】【課題】  ＴＶ放送やデータ放送等を受信でき、常に新鮮な多くのコンテンツを、その都度ユーザが設定する手間もなく楽しむことができる携帯端末を提供する。【解決手段】  放送の電波を受信する受信手段１０３と、ユーザの設定に従い受信手段１０３を制御する制御手段と、受信した放送情報から画像や文字情報などのコンテンツを取得する取得手段１０４とを備える。取得したコンテンツをユーザの設定に従い表示する表示手段１０７を備える。【選択図】        図１
2005277867.tif 000002
【特許請求の範囲】
【請求項１】
放送の電波を受信する受信手段と、ユーザの設定に従い前記受信手段を制御する制御手段と、受信した放送情報から画像や文字情報などのコンテンツを取得する取得手段と、を備えたことを特徴とする携帯端末。
【請求項２】
取得したコンテンツを、ユーザの設定に従い表示する表示手段を備えた請求項１記載の携帯端末。
【請求項３】
上記制御手段は、ユーザが設定した待受け画面更新のタイミングで上記受信手段を起動し終了させる請求項２記載の携帯端末。
【請求項４】
ユーザの設定に従って、待受け画面更新タイミングで放送チャネルを受信して放送情報を受取り、コンテンツを取得しファイルとして格納する請求項２記載の携帯端末。
【請求項５】
上記制御手段は、ユーザの操作が設定時間以上ない場合に、ユーザが設定した待受け画面更新を中止させる請求項２記載の携帯端末。
【請求項６】
上記制御手段は、ユーザの設定項目とランダム設定の項目とで待受け画面更新の制御を行う請求項２に記載の携帯端末。
【請求項７】
上記表示手段は待受け画面の表示を主に処理する手段を有し、待受け画面上の限定した範囲に取得したコンテンツを表示することができる請求項２記載の携帯端末。
【請求項８】
上記制御手段は、正常なコンテンツが取得できない場合は、以前の情報を使用するか、もしくは電波状況が良好になってからコンテンツを取得するよう制御する請求項１記載の携帯端末。
【発明の詳細な説明】
【技術分野】
【０００１】
本発明は、携帯端末であり、特にＴＶ放送やデータ放送等を受信できる端末において待受け画面を自動で更新する技術に関する。
【背景技術】
【０００２】
ＬＣＤ等の表示装置を備えている携帯電話端末などの無線通信端末では、特に待受け画面において、ユーザが好きな写真やイラスト、アニメーションなどの画面を壁紙として表示させることができる。そして、特許文献１に示してあるように、ユーザがビデオ信号から携帯電話機の待受け表示用のコンテンツを自由に取得して携帯電話機に転送できるようにする方法も考えられている。
【０００３】
さらに、特許文献２に示してあるように、取得したコンテンツの表示方法としては、時間間隔又は時刻と画像とを対応付けて記憶し、設定された時間間隔又は時刻になると対応付けられた画像を待受け画面に表示する携帯電話機も考えられている。
【０００４】
さらに近年、アナログのＴＶ放送を受信できる携帯端末や、地上波デジタル放送やデータ放送を受信できる携帯端末の開発が進んでいる。
【特許文献１】特開２００２−２４７１８５号公報
【特許文献２】特開２００２−１５２３４５号公報
【発明の開示】
【発明が解決しようとする課題】
【０００５】
従来は、携帯端末の待受け画面に使うコンテンツ取得方法は、特定のサーバからのダウンロードする方法、端末に付けたカメラなどでの撮影する方法、ビデオ信号で画像を抽出する方法などがあるが、いずれもユーザが待受け画面にしたいコンテンツを選ぶ必要があった。さらに特定のサーバからコンテンツをダウンロードする場合には、コンテンツ代金の支払いとダウンロードに有する通信料がかかることとなる。
【０００６】
また、上記の方法で取得したコンテンツをユーザが待受け画面に設定した後は、１枚もしくは数種類の画面を時間間隔又は時刻設定に従い表示するか、ある一定のアニメーションや動画コンテンツを繰り返し表示する動作が可能となるが、見慣れてしまった場合には、その都度コンテンツを取得し、そのコンテンツの表示方法を設定しなおさなければならなかった。
【課題を解決するための手段】
【０００７】
上記課題を解決するために、本発明に関する携帯端末は、アナログＴＶ放送、もしくはデジタル放送電波、あるいはその両方を受信できる携帯端末において、ユーザがＴＶ放送やデータ放送を受信する時間間隔又は時刻などタイミングを設定する手段と、受信した放送情報から画像や文字情報などのコンテンツを取得する手段と、取得したコンテンツを待受け画面に自動的に設定する手段と、ユーザが端末の待受け画面表示方法を設定できる入力手段と、を備えている。
【０００８】
すなわち、本発明は、放送の電波を受信する受信手段と、ユーザの設定に従い前記受信手段を制御する制御手段と、受信した放送情報から画像や文字情報などのコンテンツを取得する取得手段と、を備えた携帯端末である。
【０００９】
また、本発明は、取得したコンテンツを、ユーザの設定に従い表示する表示手段を備えた携帯端末である。
【００１０】
そして、本発明は、上記制御手段は、ユーザが設定した待受け画面更新のタイミングで上記受信手段を起動し終了させる携帯端末である。
【００１１】
更に、本発明は、ユーザの設定に従って、待受け画面更新タイミングで放送チャネルを受信して放送情報を受取り、コンテンツを取得しファイルとして格納する携帯端末である。
【００１２】
また、本発明は、上記制御手段は、ユーザの操作が設定時間以上ない場合に、ユーザが設定した待受け画面更新を中止させる携帯端末である。
【００１３】
そして、本発明は、上記制御手段は、ユーザの設定項目とランダム設定の項目とで待受け画面更新の制御を行う携帯端末である。
【００１４】
更に、本発明は、上記表示手段は待受け画面の表示を主に処理する手段を有し、待受け画面上の限定した範囲に取得したコンテンツを表示することができる携帯端末である。
【００１５】
また、本発明は、上記制御手段は、正常なコンテンツが取得できない場合は、以前の情報を使用するか、もしくは電波状況が良好になってからコンテンツを取得するよう制御する携帯端末である。
【発明の効果】
【００１６】
本発明によれば、ＴＶ放送やデータ放送等を受信できる携帯端末において、新鮮な多くのコンテンツを楽しむことができる。
【発明を実施するための最良の形態】
【００１７】
本発明を実施するための最良の形態を説明する。
本発明の携帯端末の実施例について、図面を用いて説明する。
【実施例】
【００１８】
以下、図１〜７に基づいて、実施例１を説明する。まず、図１は本実施例の端末の構成を示す図である。端末１０１は、アナログＴＶ放送や地上波デジタル放送を受信できる機能を搭載する携帯電話端末やＰＤＡやノート型ＰＣ端末などである。アンテナ部１０２は、放送電波を受信し、ＴＶ放送受信部１０３に情報を送る。コンテンツ取得部１０４は、放送された情報から、待受け画面設定制御部１０５の情報に基づき、画像や文字情報などのコンテンツを取得する。制御部１０５で使用されるデータは、ユーザインタフェース部１０６からユーザによって入力される情報を利用する。画像表示部１０７で表示される画像は、画面表示制御部１０８で処理した画像を表示する。１０８制御部では、待受け画面表示処理部１０９において、待受け画面の表示処理を行い、他の時刻表示や電池残量表示、アンテナバー表示などと合わせて表示する制御を行う。画像表示部１０７は、液晶ＬＣＤや有機ＥＬなどが考えられる。１０８制御部内部に待受け画面表示処理部１０９のように、待受け画面のみを処理する仕組みにすることにより、他に必要となる他の時刻表示や電池残量表示、アンテナバー表示などの処理負荷を軽減できる。有料の放送に関してはコンテンツ取得に費用を支払う必要があるが、一般のＴＶ放送を受信する場合には特別な費用はかからずコンテンツを取得できるため、コンテンツ代金の支払いとダウンロードに有する通信料がかからないという効果もある。
【００１９】
次に図２は、図１のコンテンツ取得部１０４の構成を示す図である。これにより、コンテンツ取得部１０４が、待受け画面設定制御部１０５に基づき、画像や文字情報などのコンテンツを取得する方法の一例を説明する。
【００２０】
コンテンツ取得部１０４のコンテンツ取得判定部２０１において、待受け画面設定制御部１０５からコンテンツ取得を行う契機となるコンテンツ取得信号を受信し、静止画コンテンツか文字コンテンツか動画コンテンツかなどデコードする情報を、１０５から読み込む。例えば、現時刻に放送されている静止画像コンテンツや、現時刻に受信できる文字情報コンテンツ、１１：００：００〜１１：００：０５の５秒間の動画像コンテンツなど、１０５内部に保存されているユーザ要求に応じたデコードを行い、コンテンツを取得する。デコード処理２０２に関して、一般にＴＶ放送、デジタル放送を受信できる装置は、放送受信部からの時系列情報（２０３）を、映像情報や文字情報にデコードできる仕組みを有している。この仕組みを利用して、コンテンツ取得部１０４は、ある指定した一時刻に受信した情報や、指定した時刻から設定期間に受信した情報をデコード処理して、取得した静止画像、文字、動画情報をコンテンツ（２０４、２０５、２０６）として、待受け画面設定制御部１０５に送る。コンテンツ取得部で、例えば電波状況が悪く、正常なコンテンツが取得できない場合は、以前の情報を使用するか、もしくは電波状況が良好になってからコンテンツを取得することも考えられる。
【００２１】
次に図３は、コンテンツ取得部１０４の動作シーケンスを示す図である。サービス開始時にシーケンス開始となる（Ｓ３０１）。まず、待受け画面設定制御部１０５からのコンテンツ取得信号の有無をチェックする（Ｓ３０２）。Ｓ３０２は、割り込み処理によるものや信号を監視するポーリング処理などにより、コンテンツ取得信号の有無をチェックする。コンテンツ取得信号が有る場合は、１０５内部に保存してある待受け画面設定を読み込む（Ｓ３０３）。これによりデコードする情報の種類を判別でき、コンテンツに合ったデコード処理方式を選択できることとなる。次に、ＴＶ放送受信部起動要求Ｓ３０４を行い、ＴＶ放送受信を開始する。これにより、受信要求があった時だけ、ＴＶ放送受信部起動することで、常にＴＶ放送を受信しておく方法と比較すると、消費電力を抑えることができる。そして、１０５から読み込んだ待受け画面設定に従って、放送受信情報からコンテンツに合ったデコード処理を開始する（Ｓ３０５）。このようにして、デコード処理した静止画コンテンツ（２０４）や文字コンテンツ（２０５）、動画コンテンツ（２０６）を取得する（Ｓ３０６）。これらの取得したコンテンツを１０５に送信する（Ｓ３０７）。コンテンツ取得が終ったので、ＴＶ放送受信を終了する（Ｓ３０８）。これで、コンテンツ取得部１０４での１回の処理シーケンスが終了となる（Ｓ３０９）。
【００２２】
次に図４は、待受け画面設定制御部１０５の構成を示す図である。制御部１０５は、待受け画面設定保存部４０１と待受け画面制御部４０２とコンテンツ保存部４０３とで構成する。ユーザはユーザインタフェース部１０６から、待受け画面の設定を行う。待受け画面をインタラクティブに更新するタイミングや、取得する放送チャネルや取得コンテンツの種類、表示方法等を設定できる。これらの設定情報は、待受け画面設定保存部４０１に図５のようなデータベース形式で保存する。待受け画面制御部４０２は、４０１の情報を監視して、更新タイミングとなったらコンテンツ取得部１０４に対して、コンテンツ取得信号を送り、取得すべき条件を４０１に保存された情報を基に送信する。これにより、コンテンツ取得部１０４からコンテンツ保存部４０３にコンテンツが保存される。待受け画面制御部４０２では、４０１の待受け画面設定情報の表示方法などを基にコンテンツ保存部４０３からコンテンツを読み出し、画面表示制御部１０８内にある待受け画面表示処理部１０９に待受け画面として表示させる情報を送信する。１０８制御部では、待受け画面表示処理部１０９における待受け画面と、他の時刻表示や電池残量表示、アンテナバー表示などと合わせて画面表示に関する処理を行う。
【００２３】
次に図５は、待受け画面設定保存部の情報を示す図である。ユーザがユーザインタフェース部を利用して設定した内容をデータベース形式などで保存する。設定Ｎｏ．に対して、情報を更新するタイミング、取得する放送チャネル、静止画、文字情報、動画などのコンテンツの種類、放送を受信したタイミングで待受け画面表示を更新するか、規定時間毎に画面表示更新をするかの表示方法などの情報を保存しておく。ユーザがこの情報を設定しない場合には、上記設定はランダムとなり、ユーザが予期しないタイミングで待受け画面を更新し、ランダムな放送チャネルを受信し、ランダムな種類のコンテンツ、ランダムな表示方法を実施する。この様に保存しておく利点は、例えば、株情報を放送しているチャネルの放送画面を２０分毎に静止画像を更新しておけば、相場のチャート図などが待受け画面となる確率が高いので、待受け画面を見ると現在（最大２０分遅れ）の大体の市場動向が伺えることになる。また、天気チャネルでの放送においても、放送画面上に天気図が常に表示されている可能性もあり、その画面をコンテンツとして取得できていれば、待受け画面に現在の天気図が見られることになる。この場合、特別にデータ放送などから文字情報を抽出することによって、条件に合う画像を受信する方法や、画像認識処理を施し、条件に合った画像を抽出する複雑な仕組みを導入するよりも、条件に合いそうな画像などを取得できることになる。また、ランダムな時刻にランダムな放送チャネルを受信する方法により、ユーザが意図しない画像も取得できる可能性が高く、意外性があり、ユーザを飽きさせない効果もあると考えられる。また、設定したタイミングで待受け画面を更新可能であるが、ユーザが長時間端末を放置する場合には、待受け画面更新をしてもユーザは見ない可能性が高く、この時に待受け画面を更新していると無駄に電力を消費する可能性もある。この様に、ユーザがある時間何も端末の操作をしない場合には、設定した更新タイミングでは、更新させない方法も考えられる。しかし、ユーザ設定で、電力を消費しても受信する設定を設ければ、設定タイミング通りにコンテンツを更新可能である。
【００２４】
次に図６は、コンテンツ保存部４０３の情報を示す図である。コンテンツ保存部４０３は、待受け画面設定保存部４０１の情報を用いてコンテンツ取得部１０４から取得したコンテンツをデータベース形式などで管理して保存する。コンテンツＮｏ．に対して、コンテンツを取得した取得時刻、静止画、文字情報、動画などのコンテンツの種類、保存したファイル名などを管理する。こうすることにより、待受け画面制御部４０２が要求するコンテンツをすぐに見つけ出せ、コンテンツにファイル名をつけておくことで、もしユーザが気に入ったコンテンツがあれば、そのコンテンツを別のローカルな場所に、例えば電子メールにファイルを添付して転送することが可能となる。
【００２５】
次に図７は、本実施例の携帯端末で実行した時の待受け画面表示の例である。７０１は、画面全体に取得したコンテンツを表示し、他のアンテナバーや電池残量表示、時刻表示を見やすい様に上部に表示したものである。７０２は、取得したコンテンツを画面上のある一部に表示している例である。これらは、図１の１０８制御部内部に待受け画面表示処理部１０９のように、待受け画面のみを処理する仕組みにすることにより、他に必要となる他の時刻表示や電池残量表示、アンテナバー表示などの処理負荷を軽減できるため実現できる。
【００２６】
なお、上述した本発明の各実施の形態は、本発明の説明のための例示であり、本発明の範囲を実施例にのみ限定する趣旨ではない。当業者は、本発明の要旨を逸脱することなしに、他の様々な態様で本発明を実施できる。
【図面の簡単な説明】
【００２７】
【図１】実施例１の端末の構成を示す図。
【図２】実施例１の端末のコンテンツ取得部の構成を示す図。
【図３】実施例１の端末のコンテンツ取得部の動作シーケンスの一例を示す図。
【図４】実施例１の端末の待受け画面設定制御部の構成を示す図。
【図５】実施例１の端末の待受け画面設定保存部の情報の一例を示す図。
【図６】実施例１の端末のコンテンツ保存部の情報の一例を示す図。
【図７】実施例１の端末での待受け画面表示の一例を示す図。
【符号の説明】
【００２８】
１０１  端末
１０２  アンテナ部
１０３  ＴＶ放送受信部
１０４  コンテンツ取得部
１０５  待受け画面設定制御部
１０６  ユーザインタフェース部
１０７  画像表示部
１０８  画面表示処理部
１０９  待受け画面表示処理部
２０１  デコード処理部
２０２  通信切断要求発行
２０３  コンテンツ群
２０４  静止画コンテンツ
２０５  文字コンテンツ
２０６  動画コンテンツ
Ｓ３０１  ＳＴＡＲＴ
Ｓ３０２  コンテンツ取得信号有無判定処理
Ｓ３０３  待受け画面設定読み込み処理
Ｓ３０４  ＴＶ放送受信部起動要求処理
Ｓ３０５  デコード処理開始処理
Ｓ３０６  デコードしたコンテンツ取得処理
Ｓ３０７  制御部１０５にコンテンツ送信処理
Ｓ３０８  ＴＶ放送受信部終了要求処理
Ｓ３０９  ＥＮＤ
４０１  待受け画面設定保存部
４０２  待受け画面制御部
４０３  コンテンツ保存部
７０１  待受け画面表示例
７０２  待受け画面表示例
【図１】
2005277867.tif 000003
【図２】
2005277867.tif 000004
【図３】
2005277867.tif 000005
【図４】
2005277867.tif 000006
【図５】
2005277867.tif 000007
【図６】
2005277867.tif 000008
【図７】
2005277867.tif 000009